(57)【要約】【課題】本願発明は、クローゼット内に取り付けられ棚の取り付け及び運搬を容易にする。【解決手段】本願発明に係るクローゼット等の収納部の棚は、各横棒１…１と、基板２とが、別体に形成されている。基板２は、収納部内に互いに対面した状態に取り付けられる少なくとも２本のレール２０，２０であり、且つ、当該レール２０，２０と別体に形成されレール２０内に収容可能な複数のスペーサ３…３を有する。各横棒１…１は、両レール２０，２０間に掛け渡され、レール２０，２０の夫々は、各横棒１…１の端部を受容することが可能である。スペーサ３…３の夫々は、横棒１…１の端部と共にレール２０に受容され、隣り合う横棒１，１の端部間に介在して、横棒１，１間の位置を固定する。【選択図】          図１
2004242789.tif 000002
【特許請求の範囲】
【請求項１】
被収容物の載置部を構成する複数の横棒と、横棒の夫々を並べた状態で一体に保持する基板とを備えるクローゼット等の収納部の棚において、
上記の各横棒と、基板とは、別体に形成され、
上記の基板は、収納部内に互いに対面した状態に取り付けられる少なくとも２本のレールであり、且つ、当該レールと別体に形成されレール内に収容可能な複数のスペーサを有し、
上記の各横棒は、両レール間に掛け渡され、上記レールの夫々は、各横棒の端部を受容することが可能であり、
上記のスペーサの夫々は、横棒の端部と共にレールに受容され、隣り合う横棒の端部間に介在して、横棒間の位置を固定するものであることを特徴とするクローゼット等の収納部の棚。
【請求項２】
上記のスペーサの夫々は、その前後に、横棒の側面と対応する形状の凹部を備えたことを特徴とする請求項１記載のクローゼット等の収納部の棚。
【発明の詳細な説明】
【０００１】
【発明の属する技術分野】
本願発明は、クローゼット等の収納部の棚に関する。
【０００２】
【従来の技術】
衣服を収納するクローゼットは、その内部（上部）に、帽子などを載せるための、棚を備えたものが一般的である。
この棚は、図６へ示す通り、上記載置部を構成する複数の横棒１…１と、横棒１…１の夫々を一体に保持する２つの基板２，２とを備える（図６において、Ｕは上方を、Ｓは下方を、Ｆは前方を、Ｂは後方を、夫々示している。尚、クローゼットの扉は省略してある）。上記の横棒１…１は、夫々、互いにの間隔をあけて平行に配列されている。図６に示すように、一般的に、このような棚は、衣服ハンガを吊るすための、ハンガ用横棒４を下部に備える。横棒１…１，４は、金属製のパイプであり、基板２，２は、木製若しくはアルミなど中実の金属製の板状体である。このような横棒と基板とは一体に固定され、１つの棚を形成している。
また、図７に示すように、クローゼットｋの内側面ｋ０には、予め、上記の棚を取り付けるためのチャンネル６が取り付けられている。上記の基板２，２には、当該チャンネル６に棚を引っ掛けるための目ネジ等のブラケット７が取り付けられる。
このように、クローゼットへの取り付けの際、横棒１…１と基板２，２とは既に一体とされた状態で、設置されるのである。
【０００３】
しかし、基板に横棒が固定された棚は、嵩張るものであり、その運搬や保管に場所をとり、また、クローゼットに取り付ける手間もかかる。
例えば、新築マンションのクローゼットに、当該棚を設置する場合、嵩張る棚をエレベータに持ち込んでクローゼットのある階まで運び、現場において、作業者が棚と共に身体を窮屈なクローゼット内に入れて取り付け作業を行う必要がある。
従って、従来このようなクローゼットへの棚の取り付けは、極めて作業能率の悪いものとなっていたのである。
【０００４】
【発明が解決しようとする課題】
そこで、本願発明は、クローゼット等収納部の棚の取り付けの現場において、簡単に組み立て可能な棚を提供して上記の課題の解決を図るものである。
【０００５】
【課題を解決するための手段】
本願第１の発明に係るクローゼット等の収納部の棚は、被収容物の載置部を構成する複数の横棒１…１と、横棒１…１の夫々を並べた状態で一体に保持する基板２とを備えるものについて、次の構成を採る。
即ち、上記の各横棒１…１と、基板２とは、別体に形成されている。上記の基板２は、収納部内に互いに対面した状態に取り付けられる少なくとも２本のレール２０，２０であり、且つ、当該レール２０，２０と別体に形成されレール２０内に収容可能な複数のスペーサ３…３を有する。上記の各横棒１…１は、両レール２０，２０間に掛け渡され、上記レール２０，２０の夫々は、各横棒１…１の端部を受容することが可能である。上記のスペーサ３…３の夫々は、横棒１…１の端部と共にレール２０に受容され、隣り合う横棒１，１の端部間に介在して、横棒１，１間の位置を固定する。
【０００６】
本願第２の発明に係るクローゼット等の収納部の棚では、上記本願第１の発明に係るクローゼット等の収納部の棚にあって、上記のスペーサ３…３の夫々は、その前後に、横棒１…１の側面と対応する形状の凹部を備えたことを特徴とする。
【０００７】
上記本願第１及び第２の発明にあっては、各横棒１…１と、基板２とが別体に形成されたものであるため、取り付け現場において、棚を組み立てることができる。
具体的には、先ず基板２をクローゼット等の収納部内に取り付けた後、横棒１…１などの基板２以外の構成部材を基板に組み付けることができる。このため、運搬に際しても、基板２，２や横棒１…１の夫々をばらばらにして持ち運ぶことが可能であり、取り付けに際しても、作業者が動きにくい窮屈な状態を回避して、円滑にその作業を行うことができる。
また、基板２が直接クローゼット等の収納部内に取り付けられるものであるため、従来のように予めチャンネルを収納部内に取り付けておく必要がない。
【０００８】
【発明の実施の形態】
以下、図面に基づき本願発明の実施の形態について説明する。
図１乃至図５へ、本願発明に係る折り畳み扉の一実施の形態を示す。
図１は、上記棚の、取り付け途中の状態を示す斜視図である。図２は、上記棚の取り付け後の状態を示す略縦断面図である。図３は、上記棚の取り付け後の状態を示す要部略横断面図である。図４は、上記棚に用いられるスペーサ３の側面図である。図５は、上記棚の基板２の端部に取り付けられるキャップ５の側面図である。尚、図１において、図面の煩雑を避けるために、横棒１…１は、二点差線で透視した状態に描いてある。
各図において、説明の便宜上、Ｕは上方を、Ｓは下方を、Ｌは左方を、Ｒは右方を、Ｆは前方を、Ｂは後方を、夫々示している。
【０００９】
図１及び図２に示す通り、この棚は、被収容物の載置部を構成する複数の横棒１…１と、横棒１…１の夫々を並べた状態で一体に保持する基板２と、上記横棒  １…１と、ハンガ吊り下げ部４０とを備える。
【００１０】
上記の各横棒１…１と、基板２とは、別体に形成されている。上記の基板２は、上記取付具にて収納部（クローゼット）内に互いに対面した状態に取り付けられる少なくとも２本のレール２０，２０である。
図１に示すように、先ず、レール２０，２０のみが、クローゼットの内側面ｋ０，ｋ０にネジ留めされる（図３のｍはそのネジを示している）。ｋ１は、クローゼットの奥に位置する内面（正面側を臨む面）を示している。
上記のハンガ吊り下げ部４０は、予めネジ留めにてレール２０，２０に設けられる支持部４１と、支持部４１，４１間に渡されるハンガ用横棒４とにて構成されている。図１及び図２において、４２は、上記ネジ留めに際して、ドライバを差し入れるための穴を示している。
上記のレール２０，２０の取り付けにて、支持部４１，４１も内側面ｋ０，ｋ０に配置される。この取り付けに際し、ハンガ用横棒４を、支持部４１，４１間に渡し、固定しておく。
【００１１】
レール２０，２０の夫々は、図１に示す通り、横断面視略Ｃ字状のチャンネルであり、取り付け用片２０ａと、上片２０ｂと、下片２０ｃと、上片２０ｂと下片２０ｃの夫々に設けられた当り片２０ｄ，２０ｅとにて構成されている。
【００１２】
レール２０，２０の後方Ｂ側端部には、図５に示す樹脂製のキャップ５が装着される。キャップ５のレール２０，２０内に嵌められる部分には、横棒１の外周面の形状に対応する凹部３０が形成されている。
図１に示す通り、取り付けられたレール２０，２０に対して、レール２０，２０の前方から、最初に取り付ける横棒１の両端を、レール２０，２０内に収容し、レール後方に向けて、当該横棒１を押し込む。これにて、横棒１の両端は、両レール２０，２０の当り片２０ｄ，２０ｅ間から、レール２０，２０内に挿入された状態になり、当該横棒１は、両レール２０，２０間に渡される。また、これにて、キャップ５の前に、横棒１が位置する。
次いで、図４に示す樹脂製のスペーサ３を、前方から両レール２０，２０内に、挿入する。
【００１３】
このスペーサ３は、立方体であり、レール２０内をスライドすることが可能な寸法に形成されている。図４に示す通り、スペーサ３の前部及び後部に上記キャップ５と同様の凹部３０，３０が形成されている。上記キャップ５の凹部３０とスペーサ３の凹部３０とに、上記最初の横棒１の端部が挟まれる。この実施の形態において、横棒１…１は、断面が円形であるので、上記凹部３０，３０の夫々は、半円形に凹んだ状態に形成されており、横棒１を挟んでキャップ５と最初に装着されるスペーサ３とが付き合わされることによって、両凹部２０，２０は円形となり、横棒１端部を支持する。
【００１４】
上記の最初のスペーサ３，３の装着に続いて、次の横棒１、更に次のスペーサ３０…３０が、上記と同様に順次、レール２０，２０内に装着される。
これにて、図２に示すように、レール２０内において、各スペーサ３の凹部３０，３０間に、各横棒１…１の端部が受容される。そして、スペーサ３…３が各横棒１…１間に介在することによって、横棒１…１の前後の位置が固定される。各スペーサ３…３は、図３に示す通り、レール２０，２０の当り片２０ｄ，２０ｅに当り、レール２０，２０から脱落しない。
そして、最後の横棒１をレール２０，２０間に装着した後、前述のキャップ５と同様の別途のキャップ５をレール２０，２０の前方側端部に装着する。
これにて、棚のクローゼットへの取り付けは完了する。
【００１５】
上記において、レール２０，２０は、クローゼットにネジ留めされるものとしたが、ネジ以外の周知の固定手段によって取り付けるものとしても実施可能である。
【００１６】
上記において、各凹部３０は、半円形としたが、他の形状であっても実施可能である。また、横棒１をスペーサ３…３（及びキャップ５，５）にて支持するものとしたが、スペーサやキャップは、横棒１…１の前後の位置を安定させるためのみに機能し、横棒の荷重を受けないものとしても実施可能である。その場合横棒１…１の荷重は、専らレール２０の当り片２０ｅが受ける。但し、長期の使用によって、レール２０の変形を防ぐために、上記の通り、スペーサやキャップにて、各横棒１の荷重を受けるものとするのが望ましい。また、スペーサやキャップは、レール２０の当り片２０ｅと共に荷重を受けるものとしても実施可能である。
【００１７】
【発明の効果】
本願第１又は第２の発明の実施によって、クローゼット等の収納部内に設けられる棚について、取り付けに至るまでの運搬を行いやすく、また、取り付けの作業を行いやすいものとした。
【図面の簡単な説明】
【図１】本願発明の一実施の形態に係る棚の、取り付け途中の状態を示す斜視図である。
【図２】上記棚の取り付け後の状態を示す略縦断面図である。
【図３】上記棚の取り付け後の状態を示す要部略横断面図である。
【図４】上記棚に用いられるスペーサ３の側面図である。
【図５】上記棚の基板２の端部に取り付けられるキャップの側面図である。
【図６】従来のクローゼット等の収納部内に設けられる棚の取り付け状態を示す斜視図である。
【図７】図６に示す棚の要部略縦断面図である。
【符号の説明】
１    横棒
２    基板
３    スペーサ
【図１】
2004242789.tif 000003
【図２】
2004242789.tif 000004
【図３】
2004242789.tif 000005
【図４】
2004242789.tif 000006
【図５】
2004242789.tif 000007
【図６】
2004242789.tif 000008
【図７】
2004242789.tif 000009